(57)【要約】【課題】コストの増加を抑えながらも、ユーザにとっての快適性を向上させることを可能にする車両ドア自動開閉装置を提供する。【解決手段】スイングドアの外表面の近傍を少なくとも走査するように探査波を逐次送信するとともに、その探査波の反射波を受信し、受信した反射波をもとに、スイングドアの開閉軌跡上に存在する障害物を検出するレーザレーダ２を備える。そして、このレーザレーダ２で障害物の検出を逐次行うことによって、探査波の走査範囲内でのユーザの所定のジェスチャを検出し、ジェスチャの検出結果をもとに、当該スイングドアやそれ以外の車両ドアの自動での開閉動作を開始させる。【選択図】図３
2013007171.tif 000002
【特許請求の範囲】
【請求項１】
少なくともスイングドアを備える車両に搭載され、
前記スイングドアの外表面の近傍を少なくとも走査するように探査波を逐次送信するとともに、その探査波の反射波を受信し、受信した反射波をもとに、前記スイングドアの開閉軌跡上に存在する障害物を検出する障害物センサを備える車両ドア自動開閉装置であって、
前記障害物センサで障害物の検出を逐次行うことによって、前記探査波の走査範囲内でのユーザの体の一部の所定の動きである所定のジェスチャを検出するジェスチャ検出手段と、
前記ジェスチャ検出手段での検出結果をもとに、前記車両の車両ドアの自動での開閉動作を開始させる開閉動作開始手段を備えることを特徴とする車両ドア自動開閉装置。
【請求項２】
請求項１において、
前記ジェスチャ検出手段は、前記所定のジェスチャを検出可能な物理的範囲を、前記障害物センサの走査範囲の一部に限定することを特徴とする車両ドア自動開閉装置。
【請求項３】
請求項２において、
可視光線を照射する照明手段をさらに備え、
前記物理的範囲を、前記照明手段から照射する可視光線で照らすことでユーザに提示することを特徴とする車両ドア自動開閉装置。
【請求項４】
請求項３において、前記スイングドアの開閉状態に応じて、前記物理的範囲を前記照明手段から照射する可視光線で照らすか否かを判定する照射有無判定手段をさらに備え、
前記照射有無判定手段で前記物理的範囲を前記照明手段から照射する可視光線で照らさないと判定した場合には、前記物理的範囲を前記照明手段から照射する可視光線で照らさないことを特徴とする車両ドア自動開閉装置。
【請求項５】
請求項１〜４のいずれか１項において、
前記ジェスチャ検出手段は、前記所定のジェスチャを検出可能な時間的範囲を限定することを特徴とする車両ドア自動開閉装置。
【請求項６】
請求項５において、
前記時間的範囲を、前記車両に予め設けられているインジケータランプ及び可視光線を照射する照明手段のうちの少なくともいずれかである提示灯を点灯させることでユーザに提示することを特徴とする車両ドア自動開閉装置。
【請求項７】
請求項６において、前記スイングドアの開閉状態に応じて、前記時間的範囲において前記提示灯を点灯させるか否かを判定する点灯有無判定手段をさらに備え、
前記点灯有無判定手段で前記時間的範囲において前記提示灯を点灯させないと判定した場合には、前記時間的範囲において前記提示灯を点灯させないことを特徴とする車両ドア自動開閉装置。
【請求項８】
請求項１〜７のいずれか１項において、
前記ユーザに携帯される携帯機との近距離無線通信に基づいてコード照合を行って前記車両の車載機器の動作を制御する、前記車両に搭載された車両側ユニットとの間で情報のやり取りが可能なものであって、
前記車両側ユニットから前記コード照合が成立したことを示す情報を得た場合に限り、前記ジェスチャ検出手段での前記所定のジェスチャの検出を可能とすることを特徴とする車両ドア自動開閉装置。
【請求項９】
請求項１〜８のいずれか１項において、
前記スイングドアは前記車両の側面に設けられたスイングドアであって、
前記開閉動作開始手段は、前記ジェスチャ検出手段での検出結果をもとに、当該スイングドアを自動で開扉する動作を開始させることを特徴とする車両ドア自動開閉装置。
【請求項１０】
前記１〜８のいずれか１項において、
前記スイングドアは前記車両の側面に設けられたスイングドアであって、
前記開閉動作開始手段は、前記ジェスチャ検出手段での検出結果をもとに、当該スイングドアの後方に設けられた前記車両のスライドドアの自動での開閉動作を開始させることを特徴とする車両ドア自動開閉装置。
【請求項１１】
請求項１〜８のいずれか１項において、
前記スイングドアは前記車両の後部に設けられたスイングドアであって、
前記開閉動作開始手段は、前記ジェスチャ検出手段での検出結果をもとに、当該スイングドアを自動で開扉する動作を開始させることを特徴とする車両ドア自動開閉装置。
【請求項１２】
請求項１〜８のいずれか１項において、
前記スイングドアは前記車両の側面に設けられたスイングドアであって、
前記開閉動作開始手段は、前記ジェスチャ検出手段での検出結果をもとに、前記車両の後部に設けられたスイングドアを自動で閉扉する動作を開始させることを特徴とする車両ドア自動開閉装置。
【発明の詳細な説明】
【技術分野】
【０００１】
本発明は、車両ドアを自動で開閉させる車両ドア自動開閉装置に関するものである。
【背景技術】
【０００２】
車両ドアを開扉する際に、障害物との接触を未然に防止するようにする技術が知られている。例えば特許文献１や特許文献２には、車両ドアに超音波等を用いた障害物センサを設け、当該障害物センサによって障害物を検出することで、物理的な開閉スイッチを操作して車両ドアを開扉する際に、この障害物との接触を未然に防止するようにする技術が開示されている。
【０００３】
しかしながら、特許文献１や特許文献２に開示の技術では、障害物に接触しないように自動で車両ドアの開度を調整することが可能であるものの、車両ドアを開閉するためには物理的なスイッチを操作する必要があった。そのため、ユーザの両手が荷物で塞がっている場合には一度荷物を地面において物理的なスイッチを操作する必要があった。また、スイッチが車体に設けられている場合には、雨降り時に濡れた車両ボディに触れて操作しなければならないなどの不都合があり、ユーザにとっての快適性を損なっていた。
【０００４】
そこで、この問題を解決する手段として、例えば、特許文献３には、駐車されている車両に対する人物の位置を超音波センサとカメラの画像情報とから取得し、人物が起点位置に存在することを判別した後、動線に沿って終点位置に達したことを判別した場合に、ドアの開放を行う技術が開示されている。また、特許文献４には、ユーザの身振り手振りや音声といった身体表現をカメラや音声検出装置で検出し、検出した身振り手振りや音声に基づいて、車両ドアの開放などを行う技術が開示されている。
【先行技術文献】
【特許文献】
【０００５】
【特許文献１】特開２００５−３３６９３４号公報
【特許文献２】特開２００６−２５６３６２号公報
【特許文献３】特開２００９−２０８７４１号公報
【特許文献４】特開２００８−２０９５号公報
【発明の概要】
【発明が解決しようとする課題】
【０００６】
しかしながら、特許文献３に開示の技術では、車両ドアを自動で開放するためには、動線に沿ったユーザの位置の移動を検出する必要があるので、ユーザはドアの開放のためだけに歩行を行う必要があり、ユーザにとっての快適性を損なってしまうという問題点があった。
【０００７】
また、特許文献４に開示の技術では、ユーザの身振り手振りや音声といった身体表現を検出するためのカメラや音声検出装置を車両に追加搭載する必要があるので、コストが増加するという問題点があった。
【０００８】
本発明は、上記従来の問題点に鑑みなされたものであって、その目的は、コストの増加を抑えながらも、ユーザにとっての快適性を向上させることを可能にする車両ドア自動開閉装置を提供することにある。
【課題を解決するための手段】
【０００９】
請求項１の構成においては、探査波を送受信する障害物センサで受信した反射波をもとに、スイングドアの開閉軌跡上に存在する障害物を検出する車両ドア自動開閉装置において、障害物センサで障害物の検出を逐次行うことによって、探査波の走査範囲内でのユーザの体の一部の所定の動き（以下、所定のジェスチャ）を検出するジェスチャ検出手段と、ジェスチャ検出手段での検出結果をもとに、車両のドアの自動での開閉動作を開始させる開閉動作開始手段をさらに備えることになる。
【００１０】
これによれば、ジェスチャ検出手段で障害物センサの走査範囲内でのユーザの所定のジェスチャを検出した検出結果をもとに、車両のドア（以下、車両ドア）の自動での開閉動作を開始させるので、ユーザは歩行に比べて小さな動作をするだけでも車両ドアの自動での開閉動作を行わせることが可能になる。また、両手が荷物で塞がっている場合であっても、他の体の一部（例えば足）を動かすことで車両ドアの自動での開閉動作を行わせることが可能になる。他にも、障害物センサの走査範囲内でのユーザの所定のジェスチャを検出して車両ドアの開閉動作を行わせるので、雨降り時に濡れた車両ボディに触れて車両ドアの開閉動作を行わせる必要もない。従って、請求項１の構成によれば、ユーザにとっての快適性を向上させることが可能になる。
【００１１】
さらに、請求項１の構成によれば、スイングドアの開閉軌跡上に存在する障害物を検出するために用いる障害物センサを利用して、ユーザの所定のジェスチャを検出するので、ユーザの所定のジェスチャを検出するためのカメラ等を別途新たに車両に設ける必要がなく、その分のコストの増加を抑えることができる。その結果、コストの増加を抑えながらも、ユーザにとっての快適性を向上させることが可能になる。
【００１２】
所定のジェスチャを検出可能な物理的範囲が広すぎると、ユーザが意図しない場所でたまたま所定のジェスチャと同じ動きをしてしまった場合にもジェスチャ検出手段での検出が行われて、車両ドアの開閉動作を開始してしまう誤動作が生じる場合がある。これに対して、請求項２の構成によれば、ジェスチャ検出手段は、所定のジェスチャを検出可能な物理的範囲を、障害物センサの走査範囲の一部に限定する。よって、所定のジェスチャを検出可能な物理的範囲をより狭く限定することで、意図しない場所でジェスチャ検出手段での検出が行われることを防止し、車両ドアの誤動作を防止することが可能になる。
【００１３】
請求項２のように、所定のジェスチャを検出可能な物理的範囲をより狭く限定する場合には、請求項３のように、物理的範囲を、照明手段から照射する可視光線で照らすことでユーザに提示することが好ましい。これによれば、所定のジェスチャを検出可能な物理的範囲をユーザが認識しやすくなるので、物理的範囲をより狭く限定した場合であっても、より確実にユーザがその物理的範囲内で所定のジェスチャをすることが可能になる。従って、物理的範囲をより狭く限定した場合であっても、所定のジェスチャの検出率を向上させることができる。
【００１４】
また、請求項３のようにする場合に、請求項４のようにする態様としてもよい。請求項４の構成においては、スイングドアの開閉状態に応じて物理的範囲を照明手段から照射する可視光線で照らすか否かを照射有無判定手段で判定する。そして、物理的範囲を照明手段から照射する可視光線で照らさないと照射有無判定手段で判定した場合には、物理的範囲を照明手段から照射する可視光線で照らさないことになる。これによれば、スイングドアの開閉状態に応じて、物理的範囲を可視光線で照らさないようにすることが可能になる。
【００１５】
例えば、車両の後部のスイングドアが大きく開扉されている場合には、そのスイングドアの外表面の近傍を少なくとも走査する探査波はユーザの目線よりも高い位置からほぼ水平方向に送信されたりすることになるので、物理的範囲も上方に位置することになり、その物理的範囲内でユーザが所定のジェスチャをすることが困難になる場合がある。また、車両の側面のスイングドアが開扉している場合には、そのスイングドアの外表面の近傍を少なくとも走査する探査波は、車両の側方のドアから乗車や降車しようとするユーザの位置とはそのスイングドアを挟んで反対側にのみ送信される可能性が高くなるので、物理的範囲もユーザの位置とはそのスイングドアを挟んで反対側に位置する可能性が高くなり、その物理的範囲内でユーザが所定のジェスチャをすることは困難と考えられる。請求項４の構成によれば、このように、所定のジェスチャを物理的範囲内で行うことが困難な状態の場合に物理的範囲を可視光線で照らさないようにすることが可能になる。
【００１６】
所定のジェスチャを検出可能な時間的範囲が広すぎると、ユーザが意図しないときにたまたま所定のジェスチャと同じ動きをしてしまった場合にもジェスチャ検出手段での検出が行われて、車両ドアの開閉動作を開始してしまう誤動作が生じる場合がある。これに対して、請求項５の構成によれば、ジェスチャ検出手段は、所定のジェスチャを検出可能な時間的範囲を限定する。よって、所定のジェスチャを検出可能な時間的範囲をより狭く限定することで、意図しないときにジェスチャ検出手段での検出が行われることを防止し、車両ドアの誤動作を防止することが可能になる。
【００１７】
請求項５のように、所定のジェスチャを検出可能な時間的範囲をより狭く限定する場合には、請求項６のように、時間的範囲を、照明手段及びインジケータランプのうちの少なくともいずれかである提示灯を点灯させることでユーザに提示することが好ましい。これによれば、所定のジェスチャを検出可能な時間的範囲をユーザが認識しやすくなるので、時間的範囲をより狭く限定した場合であっても、より確実にユーザがその時間的範囲内で所定のジェスチャをすることが可能になる。従って、時間的範囲をより狭く限定した場合であっても、所定のジェスチャの検出率を向上させることができる。
【００１８】
また、請求項６のようにする場合に、請求項７のようにする態様としてもよい。請求項７の構成においては、スイングドアの開閉状態に応じて時間的範囲において提示灯を点灯させるか否かを点灯有無判定手段で判定する。そして、時間的範囲において提示灯を点灯させないと点灯有無判定手段で判定した場合には、時間的範囲において提示灯を点灯させないことになる。これによれば、スイングドアの開閉状態に応じて、時間的範囲において提示灯を点灯させないようにすることが可能になる。
【００１９】
例えば、車車両の後部のスイングドアが大きく開扉されている場合には、そのスイングドアの外表面の近傍を少なくとも走査する探査波はユーザの目線よりも高い位置からほぼ水平方向に送信されたりすることになるので、物理的範囲も上方に位置することになり、その物理的範囲内でユーザが所定のジェスチャをすることが困難になる場合がある。また、車両の側面のスイングドアが開扉している場合には、そのスイングドアの外表面の近傍を少なくとも走査する探査波は、車両の側方のドアから乗車や降車しようとするユーザの位置とはそのスイングドアを挟んで反対側にのみ送信される可能性が高くなるので、所定のジェスチャを検出する範囲もユーザの位置とはそのスイングドアを挟んで反対側に位置する可能性が高くなり、当該範囲内でユーザが所定のジェスチャをすることは困難と考えられる。請求項７の構成によれば、このように、所定のジェスチャを検出する範囲で所定のジェスチャを行うことが困難な状態にあるときは、所定のジェスチャを検出可能な時間的範囲であっても、その時間的範囲において提示灯を点灯させないようにすることが可能になる。
【００２０】
請求項８の構成によれば、携帯機との近距離無線通信に基づいて、車両に搭載された車両側ユニットでコード照合が成立した場合に限り、ジェスチャ検出手段での所定のジェスチャの検出を可能とすることになる。これによれば、所定のジェスチャを検出可能な範囲を、携帯機が車両側ユニット（つまり、車両）と近距離無線通信を行うことができる範囲内に少なくとも限定することができる。よって、所定のジェスチャを検出可能な物理的範囲をより狭く限定することで、意図しない場所でジェスチャ検出手段での検出が行われることを防止し、車両ドアの誤動作を防止することが可能になる。
【００２１】
また、請求項８の構成によれば、コード照合が成立した場合に限り、所定のジェスチャの検出を可能とすることになるので、車両の乗員が近くにいる場合にのみ所定のジェスチャによる車両ドアの自動での開閉を可能にすることができる。
【００２２】
請求項９のように、スイングドアが車両の側面に設けられたスイングドアであって、開閉動作開始手段は、ジェスチャ検出手段での検出結果をもとに、当該スイングドアを自動で開扉する動作を開始させる態様としてもよい。これによれば、車両の側面に設けられたスイングドアの外表面の近傍を少なくとも走査する探査波の走査範囲において、ユーザが所定のジェスチャをすれば、当該スイングドアを自動で開扉させることが可能になる。車両の側面に設けられたスイングドアの外表面の近傍を少なくとも走査する探査波の走査範囲は、当該スイングドアの閉扉時には当該スイングドアの側方から後方にかけての領域となる筈である。よって、請求項９の構成によれば、開扉したい車両の側面のスイングドアの近くで所定のジェスチャをすれば当該スイングドアを自動で開扉させることが可能になる。
【００２３】
また、請求項１０のように、スイングドアは車両の側面に設けられたスイングドアであって、開閉動作開始手段は、ジェスチャ検出手段での検出結果をもとに、当該スイングドアの後方に設けられた当該車両のスライドドアの自動での開閉動作を開始させる態様としてもよい。これによれば、車両の側面に設けられたスイングドアの外表面の近傍を少なくとも走査する探査波の走査範囲において、ユーザが所定のジェスチャをすれば、当該スイングドアの後方に設けられたスライドドアを自動で開閉させることが可能になる。車両の側面に設けられたスイングドアの外表面の近傍を少なくとも走査する探査波の走査範囲は、当該スイングドアの側方から後方にかけての領域、つまり、当該スイングドアの後方のスライドドアの近辺となる筈である。よって、請求項１０の構成によれば、開扉したいスライドドアの近くで所定のジェスチャをすれば当該スライドドアを自動で開扉させることが可能になる。
【００２４】
さらに、請求項１１のように、スイングドアは車両の後部に設けられたスイングドアであって、開閉動作開始手段は、ジェスチャ検出手段での検出結果をもとに、当該スイングドアを自動で開扉する動作を開始させる態様としてもよい。これによれば、車両の後部に設けられたスイングドアの外表面の近傍を少なくとも走査する探査波の走査範囲において、ユーザが所定のジェスチャをすれば、当該スイングドアを自動で開扉することが可能になる。車両の後部に設けられたスイングドアの外表面の近傍を少なくとも走査する探査波の走査範囲は、当該スイングドアの閉扉時には当該スイングドアの後方の領域となる筈である。よって、請求項１１の構成によれば、開扉したい車両の後部のスイングドアの近くで所定のジェスチャをすれば当該スイングドアを自動で開扉させることが可能になる。
【００２５】
また、請求項１２のように、スイングドアは車両の側面に設けられたスイングドアであって、開閉動作開始手段は、ジェスチャ検出手段での検出結果をもとに、車両の後部に設けられたスイングドアを自動で閉扉する動作を開始させる態様としてもよい。これによれば、車両の側面に設けられたスイングドアの外表面の近傍を少なくとも走査する探査波の走査範囲において、ユーザが所定のジェスチャをすれば、車両の後部のスイングドアを自動で閉扉させることが可能になる。車両の側面に設けられたスイングドアの外表面の近傍を少なくとも走査する探査波の走査範囲は、当該スイングドアの側方から後方にかけての領域、つまり、車両の後部のスイングドアにより近い領域となる筈である。よって、請求項１２の構成によれば、開扉したい車両の後部のスライドドアにより近い領域で所定のジェスチャをすれば当該スライドドアを自動で閉扉させることが可能になる。
【図面の簡単な説明】
【００２６】
【図１】車両ドア自動開閉システム１００の概略的な構成を示すブロック図である。
【図２】レーザレーダ２の概略的な構成を示す図である。
【図３】ドア開閉ＥＣＵ１における運転席ドア自動開閉関連処理のフローの一例を示すフローチャートである。
【図４】運転席ドア自動開閉関連処理が行われているときの各シチュエーションを説明するための模式図である。
【図５】車両ドア自動開閉システム１００における運転席後方スライドドア自動開閉関連処理のフローの一例を示すフローチャートである。
【図６】（ａ）〜（ｄ）は、運転席後方スライドドア自動開閉関連処理が行われているときの各シチュエーションを説明するための模式図である。
【図７】ジェスチャ検出範囲でジェスチャを検出可能な状態にあるか否かを、運転席ドアの開閉状態に応じて判定する理由を説明するための模式図である。
【図８】２種類のジェスチャ検出範囲を照射可能な構成を説明するための模式図である。
【図９】車両ドア自動開閉システム１００におけるバックドア自動開閉関連処理のフローの一例を示すフローチャートである。
【図１０】（ａ）〜（ｄ）は、バックドア自動開閉関連処理が行われているときの各シチュエーションを説明するための模式図である。
【図１１】（ａ）及び（ｂ）は、バックドア自動開閉関連処理が行われているときの各シチュエーションを説明するための模式図である。
【発明を実施するための形態】
【００２７】
以下、本発明の実施形態について図面を用いて説明する。図１は、本発明が適用された車両ドア自動開閉システム１００の概略的な構成を示すブロック図である。図１に示す車両ドア自動開閉システム１００は、車両に搭載されるものであり、ドア開閉ＥＣＵ１、レーザレーダ２、車速センサ３、開度センサ４、スマートＥＣＵ５、照明装置８、イルミＥＣＵ９、及び車両ドアを開扉したり、閉扉したりするための開閉モータ６とラッチ解除モータ７とから構成される。つまり、本実施形態では、車両ドアは、開閉モータ６とラッチ解除モータ７との２種類のモータを用いて開閉される。なお、ドア開閉ＥＣＵ１、レーザレーダ２、及び照明装置８からなる構成が請求項の車両ドア自動開閉装置に相当する。
【００２８】
図１には、１枚の車両ドアを自動開閉するための構成が示されているが、本実施形態による車両ドア自動開閉システム１００は、例えば運転席の車両ドアのように、車両のいずれかの車両ドアに対してのみ適用したり、運転席及び助手席の車両ドアに対して適用したり、あるいは、車両の全車両ドアに対して適用したりすることが可能である。ここでは、便宜上、車両ドアとして運転席のスイングドアの自動での開閉に車両ドア自動開閉システム１００を適用した場合を例に挙げて以降の説明を行う。
【００２９】
レーザレーダ２は、例えば、運転席のスイングドア（以下、運転席ドア）を車両の車体側面に対して回転可能に支持する回転軸近傍の、運転席ドアに取り付けられたドアミラーの下部に設けられる。レーザレーダ２は、例えば図２に示されるように、発光部２１、受光部２２、及び制御部２３を備えている。図２は、レーザレーダ２の概略的な構成を示す図である。発光部２１及び受光部２２は、運転席ドアの開閉軌跡上に存在する障害物を検出できるように、運転席ドアの外表面の近傍に向けて設けられる。
【００３０】
発光部２１は、レーザダイオードを備えており、制御部２３からの駆動信号に従って、車幅方向及び車高方向それぞれの所定角度の範囲でパルス状のレーザ光を掃引照射（スキャン）する。これら車幅方向及び車高方向それぞれにレーザ光が照射される角度範囲（つまり、走査範囲）によって、レーザレーダ２の検知エリアが規定される。また、発光部２１は、検知エリアの全体に対するスキャンを逐次行うものとする。
【００３１】
発光部２１は、運転席ドアの外表面の近傍を少なくとも走査するようにレーザ光を逐次照射するものとする。例えば、運転席ドアの外表面に対し、運転席ドアが開扉される方向に所定角度ずれた範囲までの領域を走査するようにレーザ光を照射する構成とすればよい。他にも、運転席ドアの外表面に対し、運転席ドアが開扉される方向に所定角度ずれた平面から一定角度までずれた範囲までの領域を走査するようにレーザ光を照射する構成としてもよい。これによれば、運転席ドアを開扉する際に、運転席ドアの可動範囲全体に渡って、運転席ドアと接触する可能性がある障害物を検出することが可能となる。なお、ここで言うところの所定角度及び一定角度については、任意に設定可能であるものとする。
【００３２】
受光部２２は、発光部２１から照射されたレーザ光が障害物で反射された反射光（反射波）を受光レンズで受光し、受光素子（フォトダイオード）に与える。受光素子は、反射光の強度に対応する電圧を出力する。この受光素子の出力電圧は、増幅器にて増幅された後にコンパレータに出力される。コンパレータは増幅器の出力電圧を基準電圧と比較し、出力電圧が基準電圧よりも大きくなったとき、障害物を検出したものとして所定の受光信号を制御部２３へ出力する。
【００３３】
制御部２３は、通常のコンピュータとして構成されており、内部には周知のＣＰＵ、ＲＯＭやＲＡＭやＥＥＰＲＯＭなどのメモリ、Ｉ／Ｏ、及びこれらの構成を接続するバスライン（いずれも図示せず）などが備えられている。制御部２３は受光部２２、角度検出部２４から入力された各種情報に基づき、各種の処理を実行する。
【００３４】
制御部２３は、例えばＲＯＭに記憶されているプログラムに従って、発光部１１がレーザ光を照射する際に検知エリア内を定められたパターンで順番にレーザ光がスキャンするように、発光部１１に駆動信号を出力する。このように、レーザ光がスキャンするパターンが定められているので、反射光を受光した場合には、その反射光が得られたレーザ光の照射角度が一義的に定まるようになっている。制御部２３は、このことを利用して、受光部２２で反射光を受光した場合（詳しくは受光信号が受光部２２から入力された場合）に、その反射光が得られたレーザ光の照射角度を求める。
【００３５】
また、制御部２３は、駆動信号を出力してから受光信号が発生するまでの時間、すなわちレーザ光を出射した時刻と反射光を受光した時刻との時間差を計測する。そして、計測した時間差に基づいて障害物までの距離を算出する。そして、算出した障害物までの距離とこの障害物までの距離を算出するのに用いた反射光が得られたレーザ光の照射角度とを
ドア開閉ＥＣＵ１に入力する。
【００３６】
なお、レーザレーダ２は、運転席ドアを車両の車体側面に対して回転可能に支持する回転軸近傍の、運転席ドア自体に設けられる構成としてもよいが、本実施形態では、ドアミラーの下部に設けられるものとして以降の説明を続ける。
【００３７】
また、本実施形態では、車両ドアの開閉軌跡上に存在する障害物を検出するための障害物センサとして、レーザレーダ２を用いる構成を示すが、必ずしもこれに限らない。探査波を走査することで障害物の動きを検出することができる障害物センサであれば、他の障害物センサを用いる構成としてもよい。例えば、超音波センサやミリ波レーダや赤外線センサ等を用いる構成としてもよい。
【００３８】
車速センサ３は、車両の走行速度に応じた速度信号を発生する。開度センサ４は、運転席ドアが開扉されたときの運転席ドアの開度を検出して、検出信号を発生する。これら車速センサ３及び開度センサ４からの信号もドア開閉ＥＣＵ１に入力される。
【００３９】
スマートＥＣＵ５は、各種機器を制御するＣＰＵ、予め各種の数値やプログラムが書き込まれたＲＯＭ、演算過程の数値やフラグが所定の領域に書き込まれるＲＡＭ等よりなるマイコンを主体として構成される。そして、ＲＯＭに記憶された各種の制御プログラムを実行することで、コード照合、後述するリクエスト信号の送信制御、車両ドアのロック・アンロックの制御などのスマートエントリーシステムに関連する各種の処理を実行する。
【００４０】
ここで、周知のスマートエントリーシステムについての説明を行う。周知のスマートエントリーシステムでは、ユーザが携帯式電子キーなどの携帯機を所持して運転席ドアに接近すると、車両側の発信機から近距離無線通信によって常に一定時間おきに送信されているリクエスト信号（例えばＬＦ帯の電波）をこの携帯機が受信し、予めメモリに記憶された自己のＩＤコードを含むレスポンス信号（例えばＶＨＦ帯・ＵＨＦ帯の電波）を送信する。一方、車両側のチューナでこのレスポンス信号を受信すると、車両側のスマートＥＣＵ５でレスポンス信号に含まれていたＩＤコードと車両固有のＩＤコードとの照合を行い、両者が一致したことを条件にドアの開錠を行わせるようになっている。また、この携帯機を所持しているユーザが車両から離間すると、車両は、この携帯機から送信されるレスポンス信号を受信不能となる。そして、車両は、このレスポンス信号を受信不能になったことをトリガとしてドアの施錠を行わせる。よって、スマートＥＣＵ５が請求項の車両側ユニットに相当する。なお、本実施形態では、車両側の発振機及びチューナは運転席ドアの近傍に設けられており、通信範囲は運転席ドアの周辺に限定されているものとする。
【００４１】
ラッチ解除モータ７は、運転席ドアの内部に設置され、運転席ドアを閉位置に保持する図示しないラッチ機構に作用して、当該ラッチ機構を解除するものである。これにより、運転席ドアは開扉が可能な状態となる。
【００４２】
開閉モータ６も、運転席ドアの内部に設置され、図示しないドア開閉機構を駆動することによって、運転席ドアを設定開度（例えば最大開度）まで開扉させたり、閉扉させたりするものである。ただし、運転席ドアの開扉中に、後述する運転席開扉停止ジェスチャが検出されたり、運転席ドアと接触する可能性がある障害物が検出されたりしたときには、設定開度未満の開度であっても、開閉モータ６による運転席ドアの開扉が停止される。この場合、運転席ドアの開度は、開閉モータ６が停止した時点の開度に保持される。
【００４３】
照明装置８は、レーザレーダ２の検知エリアの一部（詳しくは後述するジェスチャ検出範囲）に可視光線を照射するものであって、当該検知エリアの一部の物理的範囲を照射可能なように、例えばレーザレーダ２の設置位置の近傍に設置されるものとする。よって、照明装置８が請求項の照明手段に相当する。本実施形態では、例えば照明装置８は運転席ドアのドアミラーの下部に設けられるものとして以降の説明を続ける。
【００４４】
イルミＥＣＵ９は、種機器を制御するＣＰＵ、予め各種の数値やプログラムが書き込まれたＲＯＭ、演算過程の数値やフラグが所定の領域に書き込まれるＲＡＭ等よりなるマイコンを主体として構成される。そして、ＲＯＭに記憶された各種の制御プログラムを実行することで、車両に設けられている照明装置８やインジケータランプの点消灯の制御等の各種の処理を実行する。本実施形態の例では、イルミＥＣＵ９は、運転席ドアのドアハンドルイルミの点消灯の制御を行うものとして以降の説明を続ける。
【００４５】
ドア開閉ＥＣＵ１は、レーザレーダ２、車速センサ３、開度センサ４、スマートＥＣＵ５からの信号を受ける入力インターフェース（Ｉ／Ｆ）１１、予め定められたプログラムに従って各種の演算処理を行うＣＰＵ１２、プログラムを記憶する不揮発性メモリ１３、及び開閉モータ６やラッチ解除モータ７を駆動する駆動信号を出力するモータドライバ１４などから構成されている。
【００４６】
例えば、ドア開閉ＥＣＵ１は、レーザレーダ２の制御部２３から取得した障害物までの距離をもとに、運転席ドアと接触する可能性がある障害物であるか否かを判定する。詳しくは、レーザレーダ２の設置位置から、運転席ドアを設定開度まで全開した場合の運転席ドアの端部までの距離よりも、算出した障害物までの距離が短かった場合に、運転席ドアと接触する可能性がある障害物であると判定する。これにより、運転席ドアが障害物に接触しない範囲で、運転席ドアを極力大きく開く制御を可能にしている。
【００４７】
また、ドア開閉ＥＣＵ１は、レーザレーダ２の制御部２３から取得した障害物までの距離と反射光が得られたレーザ光の照射角度とをもとにして、障害物（詳しくはレーザ光の反射点）の位置データを作成する。詳しくは、発光部２１及び受光部２２の中心を原点（０，０，０）とし、車幅方向をＸ軸、車両前後方向をＹ軸、高さ方向をＺ軸とするセンサ座標系におけるＸ座標、Ｙ座標、及びＺ座標を求める。つまり、発光部２１及び受光部２２の中心（つまり、レーザレーダ２の設置位置に相当）に対する障害物の相対的な位置を求める。前述したように、レーザレーダ２では、発光部２１が検知エリアの全体に対するスキャンを逐次行うので、時間経過に伴って障害物が動いた場合には、その動きに伴った相対的な位置が逐次求められることになる。これにより、ユーザの手や足の動きによるジェスチャを検出することを可能にしている。よって、ドア開閉ＥＣＵ１が請求項のジェスチャ検出手段に相当する。なお、ユーザの手や足の動きに限らず、杖などの動きもジェスチャとして検出できるものとする。
【００４８】
ここで、ドア開閉ＥＣＵ１でのジェスチャの検出について説明を行う。まず、ドア開閉ＥＣＵ１では、ジェスチャ検出を行う範囲（以下、ジェスチャ検出範囲）を、レーザレーダ２の検知エリア（つまり、走査範囲）のうちの一部に限定している。具体的には、限定したジェスチャ検出範囲以外の走査範囲については障害物の位置データを作成しないようにすればよい。本実施形態では、一例としてジェスチャ検出範囲を、レーザレーダ２の走査範囲のうちの、運転席ドアの先端の位置よりも後方であって、且つ、より運転席ドア寄りの一部の領域に限定するものとする。
【００４９】
照明装置８は、このジェスチャ検出範囲をユーザが認識しやすいように、ジェスチャ検出範囲と略同一の範囲を可視光線で照らすように設けられている。
【００５０】
ドア開閉ＥＣＵ１では、ジェスチャ検出範囲内での所定のジェスチャを検出し、検出したジェスチャに応じた制御を実行する。一例としては、ジェスチャ検出範囲内で、若しくはジェスチャ検出範囲を横切って、車幅方向の車両から遠ざかる向きに手足を動かすジェスチャを、運転席ドアの開扉を指示するジェスチャ（以下、運転席開扉ジェスチャ）として検出する。他には、ジェスチャ検出範囲内で手足を一定時間止めるジェスチャを、運転席ドアの開扉を指示するジェスチャ（運転席開扉停止ジェスチャ）として検出する。
【００５１】
続いて、図３及び図４（ａ）〜図４（ｃ）を用いて、車両ドア自動開閉システム１００における運転席ドアの自動での開閉に関連する処理（以下、運転席ドア自動開閉関連処理）のフローについての説明を行う。図３は、車両ドア自動開閉システム１００における運転席ドア自動開閉関連処理のフローの一例を示すフローチャートである。図４（ａ）〜図４（ｃ）は、運転席ドア自動開閉関連処理が行われているときの各シチュエーションを説明するための模式図である。本フローは、例えば車両ドア自動開閉システム１００に含まれるスマートＥＣＵ５及びドア開閉ＥＣＵ１の電源がオンになったときに開始される。
【００５２】
まず、ステップＳ１では、車両が停車している状態であるか否かをドア開閉ＥＣＵ１が判定する。車両が停車している状態であるか否かは、車速センサ３からの速度信号が、車速＝０を示しているか否かに応じて判定する。そして、車速＝０を示している、つまり、車両が停車している状態であると判定した場合（ステップＳ１でＹＥＳ）には、ステップＳ２に移る。また、車速＝０を示していない、つまり、車両が停車している状態でないと判定した場合（ステップＳ１でＮＯ）には、ステップＳ１のフローを繰り返す。
【００５３】
ステップＳ２では、ドア開閉ＥＣＵ１がスマートＥＣＵ５に指示を行い、一定時間おきに車両側の発振機からリクエスト信号を送信させるポーリングを開始させ、ステップＳ３に移る。ステップＳ３では、スマートＥＣＵ５でコード照合が成立したことを示す情報をドア開閉ＥＣＵ１が得た場合（ステップＳ３でＹＥＳ）には、照合ありとしてレーザレーダ２の電源をオンにしてステップＳ４に移る。また、スマートＥＣＵ５でコード照合が成立したことを示す情報をドア開閉ＥＣＵ１が得ていない場合（ステップＳ３でＮＯ）には、照合なしとしてステップＳ３のフローを繰り返す。
【００５４】
つまり、スマートエントリーシステムの近距離無線通信に基づくコード照合を利用することによって、運転席ドアへのユーザの接近の検出を可能にしている（図４（ａ）参照）。
【００５５】
ステップＳ４では、ジェスチャ検出範囲でジェスチャを検出可能な状態にあるか否かをドア開閉ＥＣＵ１が判定する。ジェスチャ検出範囲でジェスチャを検出可能な状態にあるか否かは、例えば開度センサ４の信号が運転席ドアの完全に閉じた状態（完全閉状態）を示しているか否かに応じて判定する。そして、完全閉状態を示している、つまり、ジェスチャ検出範囲でジェスチャを検出可能な状態にあると判定した場合（ステップＳ４でＹＥＳ）には、ステップＳ５に移る。また、完全閉状態を示していない、つまり、ジェスチャ検出範囲でジェスチャを検出可能な状態にないと判定した場合（ステップＳ４でＮＯ）には、フローを終了する。
【００５６】
なお、ドアカーテシスイッチの信号が運転席ドアの完全に閉じた状態（完全閉状態）を示しているか否かに応じて、ジェスチャ検出範囲でジェスチャを検出可能な状態にあるか否かをドア開閉ＥＣＵ１が判定する構成としてもよい。
【００５７】
また、本実施形態では、完全閉状態を示している場合に、ジェスチャ検出範囲でジェスチャを検出可能な状態にあると判定する構成を示したが、必ずしもこれに限らない。例えば、運転席ドアの開度が所定値以下であった場合に、ジェスチャ検出範囲でジェスチャを検出可能な状態にあると判定する構成としてもよい。ここで言うところの所定値とは、任意に設定可能な値である。
【００５８】
ステップＳ５では、ドア開閉ＥＣＵ１がイルミＥＣＵ９に指示を行い、照明装置８の電源をオンにさせて、ジェスチャ検出範囲と略同一の範囲を可視光線で照らさせ、ステップＳ６に移る。ステップＳ６では、ドア開閉ＥＣＵ１がイルミＥＣＵ９に指示を行い、運転席ドアのドアハンドルイルミを点灯させ、ステップＳ７に移る。これにより、ユーザがジェスチャを検出可能な範囲及びタイミングを容易に認識して、手や足等によるジェスチャをジェスチャ検出範囲内で行うことが可能になる。
【００５９】
本実施形態では、ステップＳ５の処理の次にステップＳ６の処理を行う構成を示したが、必ずしもこれに限らない。例えば、ステップＳ６の処理の次にステップＳ５の処理を行う構成としてもよいし、ステップＳ５の処理とステップＳ６の処理とを並行して行う構成としてもよい。
【００６０】
なお、ステップＳ４において、ジェスチャ検出範囲でジェスチャを検出可能な状態にないと判定した場合には、ジェスチャ検出範囲と略同一の範囲を可視光線によって照らすことも、運転席ドアのドアハンドルイルミの点灯も行われない。これにより、ユーザにジェスチャ検出範囲でジェスチャを検出可能な状態にないことを容易に認識させることができる。よって、ドア開閉ＥＣＵ１が請求項の照射有無判定手段及び点灯有無判定手段に相当する。
【００６１】
ステップＳ７では、ユーザが手や足で行った運転席開扉ジェスチャの検出（図４（ｂ）参照）がドア開閉ＥＣＵ１で行われた場合（ステップＳ７でＹＥＳ）には、ステップＳ８に移る。また、運転席開扉ジェスチャの検出がドア開閉ＥＣＵ１で行われていない場合（ステップＳ７でＮＯ）には、ステップＳ７のフローを繰り返す。
【００６２】
ステップＳ８では、ドア開閉ＥＣＵ１が、モータドライバ１４から開閉モータ６及びラッチ解除モータ７に駆動信号を出力して、運転席ドアの開扉を開始させ、ステップＳ９に移る。よって、ドア開閉ＥＣＵ１が請求項の開閉動作開始手段に相当する。
【００６３】
ステップＳ９では、運転席ドアの開度が、運転席ドアを自動開扉する際の設定開度になったか否かを、開度センサ４の検出信号に基づいてドア開閉ＥＣＵ１が判定する。そして、運転席ドアの開度が設定開度になったと判定した場合（ステップＳ９でＹＥＳ）には、ステップＳ１２に移る。一方、運転席ドアの開度がまだ設定開度に達していないと判定した場合（ステップＳ９でＮＯ）には、ステップＳ１０に移る。
【００６４】
ステップＳ１０では、レーザレーダ２での障害物の検出結果に基づき、前述したようにして、運転席ドアに接触する可能性がある障害物が存在するか否かを判定する。そして、運転席ドアに接触する可能性がある障害物が存在すると判定した場合（ステップＳ１０でＹＥＳ）には、ステップＳ１１に移る。また、運転席ドアに接触する可能性がある障害物が存在しないと判定した場合（ステップＳ１０でＮＯ）には、ステップＳ９に戻ってフローを繰り返す。このように、ステップＳ９からステップＳ１０までの処理を繰り返し実行することにより、運転席ドアが開扉される間中、運転席ドアに対する障害物の検出が継続して実行される。
【００６５】
ステップＳ１１では、障害物を検出した後も、開閉モータ６の駆動を継続し、開閉モータ６によって、障害物を検出した時点の運転席ドアの開度から、障害物に接触しない程度の角度だけ運転席ドアを開扉（図４（ｃ）参照）させた時点で、ステップＳ１２に移る。障害物に接触しない程度の角度については、ドア開閉ＥＣＵ１で算出した障害物までの距離をもとに求める構成とすればよい。
【００６６】
なお、本実施形態では、運転席ドアに接触する可能性がある障害物を検出した場合に、その障害物に接触しない程度の開度で運転席ドアの開扉動作を停止させる構成を示したが、必ずしもこれに限らない。例えば、ドア開閉ＥＣＵ１で運転席開扉停止ジェスチャの検出が行われた時点で、運転席ドアの開扉動作を停止させる構成としてもよい。
【００６７】
ステップＳ１２では、開閉モータ６の駆動を停止することにより、運転席ドアの開扉を停止させ、運転席ドアの開度を保持してフローを終了する。
【００６８】
本実施形態の構成によれば、運転席ドア近傍の発振機及びチューナを介した近距離無線通信に基づくコード照合が成立した場合に、ジェスチャ検出を可能にするので、ユーザが運転席ドアの付近にいる場合にのみ、ジェスチャによる運転席ドアの自動での開閉を可能にすることができる。
【００６９】
なお、本実施形態では、車両ドアとして運転席のスイングドアの自動での開閉に車両ドア自動開閉システム１００を適用した場合を説明したが、助手席のスイングドアについても同様であるものとする。
【００７０】
以上、本発明の実施形態を説明したが、本発明は前述の実施形態に限定されるものではなく、次の実施形態（以下、変形例１）も本発明の技術的範囲に含まれる。以下では、変形例１について図面を用いて説明を行う。なお、説明の便宜上、前述の実施形態の説明に用いた図に示した部材と同一の機能を有する部材については、同一の符号を付し、その説明を省略する。
【００７１】
変形例１は、車両ドアとして運転席や助手席のスイングドアの後方に設けられたスライドドアの自動での開閉に車両ドア自動開閉システム１００を適用した場合の例である。なお、変形例１では、運転席のスイングドアの後方のスライドドア（以下、運転席後方スライドドア）の自動での開閉に車両ドア自動開閉システム１００を適用した場合を例に挙げて説明を行う。ここで、レーザレーダ２は、前述の実施形態と同様にして、運転席ドアのドアミラーの下部に設けられているものとする。
【００７２】
変形例１においては、スマートエントリーシステムにおける車両側の発振機及びチューナは、運転席後方スライドドアの近傍に設けられており、通信範囲が運転席後方スライドドアの近傍に限定されているものとする。
【００７３】
変形例１において、ラッチ解除モータ７は、運転席後方スライドドアの内部に設置され、運転席後方スライドドアを閉位置に保持する図示しないラッチ機構に作用して、当該ラッチ機構を解除するものである。開閉モータ６も、運転席後方スライドドアの内部に設置され、図示しないドア開閉機構を駆動することによって、運転席後方スライドドアを設定開度（例えば最大開度）まで開扉させたり、閉扉させたりするものである。ただし、運転席後方スライドドアの開閉中に、後述するスライドドア開閉停止ジェスチャが検出されたときには、開閉モータ６による運転席後方スライドドアの開閉が停止される。この場合、運転席後方スライドドアの開度は、開閉モータ６が停止した時点の開度に保持される。また、変形例１において、イルミＥＣＵ９は、例えば運転席後方スライドドアのドアハンドルイルミの点消灯の制御及び照明装置８の制御を行うものとする。
【００７４】
変形例１においても、ドア開閉ＥＣＵ１では、ジェスチャ検出範囲を、レーザレーダ２の検知エリアの一部に限定しているが、前述の実施形態とは異なり、一例としてジェスチャ検出範囲を、レーザレーダ２の走査範囲のうちの、運転席ドアの先端の位置よりも後方であって、且つ、より運転席後方スライドドア寄りの一部の領域に限定するものとする。照明装置８は、このジェスチャ検出範囲をユーザが認識しやすいように、このジェスチャ検出範囲と略同一の範囲を可視光線で照らすように設けられている。
【００７５】
また、変形例１において、ドア開閉ＥＣＵ１では、ジェスチャ検出範囲内で、若しくはジェスチャ検出範囲を横切って、車両の前方向から後ろ方向に向けて手足を動かすジェスチャを、運転席後方スライドドアの開扉を指示するジェスチャ（以下、スライドドア開扉ジェスチャ）として検出する。また、ジェスチャ検出範囲内で、若しくはジェスチャ検出範囲を横切って、車両の後ろ方向から前方向に向けて手足を動かすジェスチャを、運転席後方スライドドアの閉扉を指示するジェスチャ（以下、スライドドア閉扉ジェスチャ）として検出する。他には、ジェスチャ検出範囲内で手足を一定時間止めるジェスチャを、運転席後方スライドドアの開扉を指示するジェスチャ（スライドドア開閉停止ジェスチャ）として検出する。
【００７６】
続いて、図５、及び図６（ａ）〜図６（ｄ）を用いて、車両ドア自動開閉システム１００における運転席後方スライドドアの自動での開閉に関連する処理（以下、運転席後方スライドドア自動開閉関連処理）のフローについての説明を行う。図５は、車両ドア自動開閉システム１００における運転席後方スライドドア自動開閉関連処理のフローの一例を示すフローチャートである。図６（ａ）〜図６（ｄ）は、運転席後方スライドドア自動開閉関連処理が行われているときの各シチュエーションを説明するための模式図である。本フローは、例えば車両ドア自動開閉システム１００に含まれるスマートＥＣＵ５及びドア開閉ＥＣＵ１の電源がオンになったときに開始される。
【００７７】
まず、ステップＳ３１では、ステップＳ１と同様にして、車両が停車している状態であるか否かをドア開閉ＥＣＵ１が判定する。そして、車両が停車している状態であると判定した場合（ステップＳ３１でＹＥＳ）には、ステップＳ３２に移る。また、車両が停車している状態でないと判定した場合（ステップＳ３１でＮＯ）には、ステップＳ３１のフローを繰り返す。
【００７８】
ステップＳ３２では、ステップＳ２と同様にしてドア開閉ＥＣＵ１がスマートＥＣＵ５に指示を行い、一定時間おきに車両側の発振機からリクエスト信号を送信させるポーリングを開始させ、ステップＳ３３に移る。ステップＳ３３では、スマートＥＣＵ５でコード照合が成立したことを示す情報をドア開閉ＥＣＵ１が得た場合（ステップＳ３３でＹＥＳ）には、照合ありとしてレーザレーダ２の電源をオンにしてステップＳ３４に移る。また、スマートＥＣＵ５でコード照合が成立したことを示す情報をドア開閉ＥＣＵ１が得ていない場合（ステップＳ３３でＮＯ）には、照合なしとしてステップＳ３３のフローを繰り返す。
【００７９】
つまり、スマートエントリーシステムの近距離無線通信に基づくコード照合を利用することによって、運転席後方スライドドアへのユーザの接近の検出を可能にしている（図６（ａ）参照）。
【００８０】
ステップＳ３４では、ジェスチャ検出範囲でジェスチャを検出可能な状態にあるか否かをドア開閉ＥＣＵ１が判定する。ジェスチャ検出範囲でジェスチャを検出可能な状態にあるか否かは、例えば開度センサ４の信号が運転席ドアの完全に閉じた状態（完全閉状態）を示しているか否かに応じて判定する。
【００８１】
ジェスチャ検出範囲でジェスチャを検出可能な状態にあるか否かを、運転席ドアの開閉状態に応じて判定する理由は以下の通りである。運転席ドアが開扉している場合には、運転席ドアの外表面の近傍を少なくとも走査するレーザレーダ２の探査波は、図７に示すように、運転席後方スライドドア（図７中のＡ）から乗車や降車しようとするユーザの位置（図７中のＣで示す破線の円）とは運転席ドア（図７中のＢ）を挟んで反対側にのみ送信される（図７中の破線の矢印参照）ので、ジェスチャ検出範囲もユーザの位置とは運転席ドアを挟んで反対側に位置することになり、ジェスチャ検出範囲内でユーザがジェスチャをすることが困難なためである。
【００８２】
図５に戻って、ステップＳ３４では、完全閉状態を示している、つまり、ジェスチャ検出範囲でジェスチャを検出可能な状態にあると判定した場合（ステップＳ３４でＹＥＳ）には、ステップＳ３５に移る。また、完全閉状態を示していない、つまり、ジェスチャ検出範囲でジェスチャを検出可能な状態にないと判定した場合（ステップＳ３４でＮＯ）には、フローを終了する。
【００８３】
なお、ドアカーテシスイッチの信号が運転席ドアの完全に閉じた状態（完全閉状態）を示しているか否かに応じて、ジェスチャ検出範囲でジェスチャを検出可能な状態にあるか否かをドア開閉ＥＣＵ１が判定する構成としてもよい。
【００８４】
また、本実施形態では、完全閉状態を示している場合に、ジェスチャ検出範囲でジェスチャを検出可能な状態にあると判定する構成を示したが、必ずしもこれに限らない。例えば、運転席ドアの開度が所定値以下であった場合に、ジェスチャ検出範囲でジェスチャを検出可能な状態にあると判定する構成としてもよい。ここで言うところの所定値とは、任意に設定可能な値である。
【００８５】
ステップＳ３５では、ドア開閉ＥＣＵ１がイルミＥＣＵ９に指示を行い、照明装置８の電源をオンにさせて、ジェスチャ検出範囲と略同一の範囲を可視光線で照らさせ、ステップＳ３６に移る。ステップＳ３６では、ドア開閉ＥＣＵ１がイルミＥＣＵ９に指示を行い、運転席後方スライドドアのドアハンドルイルミを点灯させ、ステップＳ３７に移る。これにより、ユーザがジェスチャを検出可能な範囲及びタイミングを容易に認識して、手や足等によるジェスチャをジェスチャ検出範囲内で行うことが可能になる。
【００８６】
本実施形態では、ステップＳ３５の処理の次にステップＳ３６の処理を行う構成を示したが、必ずしもこれに限らない。例えば、ステップＳ３６の処理の次にステップＳ３５の処理を行う構成としてもよいし、ステップＳ３５の処理とステップＳ３６の処理とを並行して行う構成としてもよい。
【００８７】
なお、ステップＳ３４において、ジェスチャ検出範囲でジェスチャを検出可能な状態にないと判定した場合（ステップＳ３４でＮＯ）には、ジェスチャ検出範囲と略同一の範囲を可視光線によって照らすことも、運転席後方スライドドアのドアハンドルイルミの点灯も行われない。これにより、ユーザにジェスチャ検出範囲でジェスチャを検出可能な状態にないことを容易に認識させることができる。
【００８８】
ステップＳ３７では、ユーザが手や足で行ったスライドドア開扉ジェスチャの検出（図６（ｂ）参照）がドア開閉ＥＣＵ１で行われた場合（ステップＳ３７でＹＥＳ）には、ステップＳ３８に移る。また、スライドドア開扉ジェスチャの検出がドア開閉ＥＣＵ１で行われていない場合（ステップＳ３７でＮＯ）には、ステップＳ４０に移る。
【００８９】
ステップＳ３８では、ドア開閉ＥＣＵ１が、モータドライバ１４から開閉モータ６及びラッチ解除モータ７に駆動信号を出力して、運転席後方スライドドアの開扉を開始させ（図６（ｃ）参照）、ステップＳ３９に移る。
【００９０】
ステップＳ３９では、運転席後方スライドドアの開度が、運転席後方スライドドアを自動開扉する際の設定開度になったか否かを、開度センサ４の検出信号に基づいてドア開閉ＥＣＵ１が判定する。そして、運転席後方スライドドアの開度が設定開度になったと判定した場合（ステップＳ３９でＹＥＳ）には、ステップＳ４３に移る。一方、運転席後方スライドドアの開度がまだ設定開度に達していないと判定した場合（ステップＳ３９でＮＯ）には、ステップＳ３９のフローを繰り返す。
【００９１】
また、ステップＳ４０では、ユーザが手や足で行ったスライドドア閉扉ジェスチャの検出（図６（ｂ）参照）がドア開閉ＥＣＵ１で行われた場合（ステップＳ４０でＹＥＳ）には、ステップＳ４１に移る。また、スライドドア閉扉ジェスチャの検出がドア開閉ＥＣＵ１で行われていない場合（ステップＳ４０でＮＯ）には、ステップＳ３７に戻ってフローを繰り返す。
【００９２】
ステップＳ４１では、ドア開閉ＥＣＵ１が、モータドライバ１４から開閉モータ６に駆動信号を出力して、運転席後方スライドドアの閉扉を開始させ（図６（ｄ）参照）、ステップＳ４２に移る。
【００９３】
ステップＳ４２では、運転席後方スライドドアの開度が０（つまり、完全閉状態）になったか否かを、開度センサ４の検出信号に基づいてドア開閉ＥＣＵ１が判定する。そして、運転席後方スライドドアの開度が０になったと判定した場合（ステップＳ４２でＹＥＳ）には、ステップＳ４３に移る。一方、運転席後方スライドドアの開度がまだ０に達していないと判定した場合（ステップＳ４３でＮＯ）には、ステップＳ４３のフローを繰り返す。
【００９４】
ステップＳ４３では、開閉モータ６の駆動を停止することにより、運転席後方スライドドアの開閉を停止させ、フローを終了する。なお、本実施形態では、例えば、ドア開閉ＥＣＵ１でスライドドア開閉停止ジェスチャの検出が行われた時点で、運転席後方スライドドアの開閉動作を停止させる構成としてもよい。
【００９５】
本実施形態の構成によれば、運転席後方スライドドア近傍の発振機及びチューナを介した近距離無線通信に基づくコード照合が成立した場合に、ジェスチャ検出を可能にするので、ユーザが運転席後方スライドドアの付近にいる場合にのみ、ジェスチャによる運転席後方スライドドアの自動での開閉を可能にすることができる。
【００９６】
なお、本実施形態では、車両ドアとして運転席後方スライドドアの自動での開閉に車両ドア自動開閉システム１００を適用した場合を説明したが、助手席のスイングドアの後方のスライドドアについても同様であるものとする。
【００９７】
また、前述の実施形態と変形例１とを併用する構成としてもよい。この場合、共通する部材については共通化して用いる一方、共通化できないものについてはそれぞれ設ける構成とすればよい。例えば、照明装置８については、照射範囲が運転席ドア側のジェスチャ検出範囲に略同一となるものと、運転席後方スライドドア側のジェスチャ検出範囲に略同一となるものとの２つを設け、図８に示すように２種類のジェスチャ検出範囲を照射可能な構成とすればよい。図８は、２種類のジェスチャ検出範囲を照射可能な構成を説明するための模式図である。そして、図８中のＤが、運転席ドア側のジェスチャ検出範囲に略同一となる照明装置８の照射範囲を示しており、Ｅが運転席後方スライドドア側のジェスチャ検出範囲に略同一となる照明装置８の照射範囲を示している。また、図８中の矢印がレーザレーダ２によって走査される探査波を示している。なお、照明装置８の角度をモータ等のアクチュエータで変化させることによって、１つの照明装置８で上述の２種類のジェスチャ検出範囲を照射可能な構成としてもよい。
【００９８】
他にも、スマートエントリーシステムにおける車両側の発振機及びチューナは、運転席ドアの近傍と運転席後方スライドドアの近傍とにそれぞれ設けられており、各々の通信範囲が運転席ドアの周辺と運転席後方スライドドアの近傍とにそれぞれに限定されている構成とすればよい。これにより、運転席ドア側の発振機及びチューナを介してコード照合が行われたか、運転席後方スライドドア側の発振機及びチューナを介してコード照合が行われたかの情報をスマートＥＣＵ５からドア開閉ＥＣＵ１が得て、運転席ドアと運転席後方スライドドアとのどちらの開閉をユーザが意図しているかを判定することが可能となる。
【００９９】
また、運転席ドアと運転席後方スライドドアとのどちらの開閉をユーザが意図しているかをドア開閉ＥＣＵ１で判定した場合に、開閉を意図しているドア側でのみ照明装置８でジェスチャ検出範囲を照らしたり、ドアハンドルイルミを点灯させたりすることも可能になる。これによれば、ユーザが開閉を意図しない側では照明装置８でジェスチャ検出範囲を照らしたり、ドアハンドルイルミを点灯させなかったりするので、意図するドアを開閉させるためのジェスチャ検出範囲をユーザが容易に認識できる。
【０１００】
また、次の実施形態（以下、変形例２）も本発明の技術的範囲に含まれる。以下では、変形例２について図面を用いて説明を行う。なお、説明の便宜上、前述の実施形態の説明に用いた図に示した部材と同一の機能を有する部材については、同一の符号を付し、その説明を省略する。
【０１０１】
変形例２は、車両ドアとして車両の後部に設けられたスイングドアであるバックドアの自動での開閉に車両ドア自動開閉システム１００を適用した場合の例である。
【０１０２】
変形例２においては、レーザレーダ２は、前述したのと同様に運転席ドアのドアミラーの下部に設けられている他に、例えばバックドアの回転軸の近傍であるバックドアの上部にも設けられる。
【０１０３】
そして、バックドア側のレーザレーダ２は、バックドアの外表面の近傍を少なくとも走査するようにレーザ光を逐次照射するものとする。例えば、バックドアの外表面に対し、バックドアが開扉される方向に所定角度ずれた範囲までの領域を走査するようにレーザ光を照射する構成とすればよい。他にも、バックドアの外表面に対し、バックドアが開扉される方向に所定角度ずれた平面から一定角度までずれた範囲までの領域を走査するようにレーザ光を照射する構成としてもよい。これによれば、バックドアを開扉する際に、バックドアの可動範囲全体に渡って、バックドアと接触する可能性がある障害物を検出することが可能となる。なお、ここで言うところの所定角度及び一定角度については、任意に設定可能であるものとする。
【０１０４】
変形例２においては、スマートエントリーシステムにおける車両側の発振機及びチューナは、バックドアの近傍に設けられており、通信範囲がバックドアの近傍に限定されているものとする。
【０１０５】
変形例２において、ラッチ解除モータ７は、バックドアの内部に設置され、バックドアを閉位置に保持する図示しないラッチ機構に作用して、当該ラッチ機構を解除するものである。開閉モータ６も、バックドアの内部に設置され、図示しないドア開閉機構を駆動することによって、バックドアを設定開度（例えば最大開度）まで開扉させたり、閉扉させたりするものである。ただし、バックドアの開閉中に、後述するバックドア開閉停止ジェスチャが検出されたときには、開閉モータ６によるバックドアの開閉が停止される。この場合、バックドアの開度は、開閉モータ６が停止した時点の開度に保持される。また、変形例２において、イルミＥＣＵ９は、例えばテールランプの点消灯の制御や照明装置８の制御を行うものとする。
【０１０６】
変形例２においても、ドア開閉ＥＣＵ１では、ジェスチャ検出範囲を、レーザレーダ２の検知エリアの一部に限定している。具体的には、運転席ドア側のレーザレーダ２については、一例としてジェスチャ検出範囲を、走査範囲のうちの、運転席ドアの先端の位置よりも後方であって、且つ、より車両後部寄りの一部の領域に限定するものとする。一方、バックドア側のレーザレーダ２については、一例としてジェスチャ検出範囲を、走査範囲のうちの、車両の車幅方向における中心寄りの一部の領域に限定するものとする。
【０１０７】
照明装置８は、これらの各ジェスチャ検出範囲をユーザが認識しやすいように、これらのジェスチャ検出範囲と略同一の範囲を可視光線で照らすように、運転席ドア側のレーザレーダ２とバックドア側のレーザレーダ２とが設けられているのと同様の位置にそれぞれ設けられている。なお、以降では、運転席ドア側のレーザレーダ２のジェスチャ検出範囲を運転席側ジェスチャ検出範囲、バックドア側のレーザレーダ２のジェスチャ検出範囲をバックドア側ジェスチャ検出範囲と呼ぶ。
【０１０８】
変形例２において、ドア開閉ＥＣＵ１では、バックドア側ジェスチャ検出範囲内で、若しくはバックドア側ジェスチャ検出範囲を横切って、車両の下方向から上方向に向けて手足を動かすジェスチャを、バックドアの開扉を指示するジェスチャ（以下、バックドア開扉ジェスチャ）として検出する。また、運転席側ジェスチャ検出範囲内で、若しくは運転席側ジェスチャ検出範囲を横切って、車両の上方向から下方向に向けて手足を動かすジェスチャを、バックドアの閉扉を指示するジェスチャ（以下、バックドア閉扉ジェスチャ）として検出する。他には、ジェスチャ検出範囲内で手足を一定時間止めるジェスチャを、バックドアの開扉を指示するジェスチャ（バックドア開閉停止ジェスチャ）として検出する。
【０１０９】
続いて、図９、図１０（ａ）〜図１０（ｄ）、及び図１１（ａ）〜図１１（ｂ）を用いて、車両ドア自動開閉システム１００におけるバックドアの自動での開閉に関連する処理（以下、バックドア自動開閉関連処理）のフローについての説明を行う。図９は、車両ドア自動開閉システム１００におけるバックドア自動開閉関連処理のフローの一例を示すフローチャートである。図１０（ａ）〜図１０（ｄ）、及び図１１（ａ）〜図１１（ｂ）は、バックドア自動開閉関連処理が行われているときの各シチュエーションを説明するための模式図である。本フローは、例えば車両ドア自動開閉システム１００に含まれるスマートＥＣＵ５及びドア開閉ＥＣＵ１の電源がオンになったときに開始される。
【０１１０】
まず、ステップＳ５１では、ステップＳ１と同様にして、車両が停車している状態であるか否かをドア開閉ＥＣＵ１が判定する。そして、車両が停車している状態であると判定した場合（ステップＳ５１でＹＥＳ）には、ステップＳ５２に移る。また、車両が停車している状態でないと判定した場合（ステップＳ５１でＮＯ）には、ステップＳ５１のフローを繰り返す。
【０１１１】
ステップＳ５２では、ステップＳ２と同様にしてドア開閉ＥＣＵ１がスマートＥＣＵ５に指示を行い、一定時間おきに車両側の発振機からリクエスト信号を送信させるポーリングを開始させ、ステップＳ５３に移る。ステップＳ５３では、スマートＥＣＵ５でコード照合が成立したことを示す情報をドア開閉ＥＣＵ１が得た場合（ステップＳ５３でＹＥＳ）には、照合ありとして運転席ドア側とバックドア側とのレーザレーダ２の電源をオンにしてステップＳ５４に移る。また、スマートＥＣＵ５でコード照合が成立したことを示す情報をドア開閉ＥＣＵ１が得ていない場合（ステップＳ５３でＮＯ）には、照合なしとしてステップＳ５３のフローを繰り返す。
【０１１２】
つまり、スマートエントリーシステムの近距離無線通信に基づくコード照合を利用することによって、バックドアへのユーザの接近の検出を可能にしている（図１０（ａ）参照）。
【０１１３】
ステップＳ５４では、運転席側ジェスチャ検出範囲やバックドア側ジェスチャ検出範囲でジェスチャを検出可能な状態にあるか否かをドア開閉ＥＣＵ１が判定する。運転席側ジェスチャ検出範囲でジェスチャを検出可能な状態にあるか否かは、例えば開度センサ４の信号が運転席ドアの完全に閉じた状態（完全閉状態）を示しているか否かに応じて判定する。一方、バックドア側ジェスチャ検出範囲でジェスチャを検出可能な状態にあるか否かは、例えば開度センサ４の信号がバックドアの完全に閉じた状態（完全閉状態）を示しているか否かに応じて判定する。
【０１１４】
運転席側ジェスチャ検出範囲でジェスチャを検出可能な状態にあるか否かを、運転席ドアの開閉状態に応じて判定する理由は変形例１において説明した通りである。また、バックドア側ジェスチャ検出範囲でジェスチャを検出可能な状態にあるか否かを、バックドアの開閉状態に応じて判定する理由は、以下の通りである。バックドアが例えば全開のように大きく開扉されている場合には、そのスイングドアの外表面の近傍を少なくとも走査するバックドア側のレーザレーダ２の探査波は、ユーザの目線よりも高い位置からほぼ水平方向に送信されたりすることになるので、バックドア側ジェスチャ検出範囲も例えば目線の高さよりも高い上方に位置することになり、バックドア側ジェスチャ検出範囲内でユーザがジェスチャをすることが困難になる場合があるためである。
【０１１５】
ステップＳ５４では、運転席ドア若しくはバックドアのいずれかが完全閉状態を示している、つまり、ジェスチャ検出範囲でジェスチャを検出可能な状態にあると判定した場合（ステップＳ５４でＹＥＳ）には、ステップＳ５５に移る。また、運転席ドア及びバックドアのいずれも完全閉状態を示していない、つまり、ジェスチャ検出範囲でジェスチャを検出可能な状態にないと判定した場合（ステップＳ５４でＮＯ）には、フローを終了する。
【０１１６】
なお、ドアカーテシスイッチの信号が運転席ドアの完全に閉じた状態（完全閉状態）を示しているか否かに応じて、ジェスチャ検出範囲でジェスチャを検出可能な状態にあるか否かをドア開閉ＥＣＵ１が判定する構成としてもよい。
【０１１７】
また、本実施形態では、完全閉状態を示している場合に、ジェスチャ検出範囲でジェスチャを検出可能な状態にあると判定する構成を示したが、必ずしもこれに限らない。例えば、運転席ドアの開度やバックドアの開度が所定値以下であった場合に、ジェスチャ検出範囲でジェスチャを検出可能な状態にあると判定する構成としてもよい。ここで言うところの所定値とは、任意に設定可能な値である。
【０１１８】
ステップＳ５５では、ドア開閉ＥＣＵ１がイルミＥＣＵ９に指示を行い、照明装置８の電源をオンにさせて、運転席側ジェスチャ検出範囲やバックドア側ジェスチャ検出範囲と略同一の範囲を可視光線で照らさせ、ステップＳ５６に移る。具体的には、ステップＳ５４で運転席ドア及びバックドアのいずれも完全閉状態を示していた場合には、運転席側ジェスチャ検出範囲とバックドア側ジェスチャ検出範囲との両方について、略同一の範囲を可視光線で照らさせる。一方、ステップＳ５４で運転席ドアとバックドアとのいずれか一方のみが完全閉状態を示していた場合には、完全閉状態を示していた側のジェスチャ検出範囲のみについて、略同一の範囲を可視光線で照らさせる。
【０１１９】
ステップＳ５６では、ドア開閉ＥＣＵ１がイルミＥＣＵ９に指示を行い、運転席後方スライドドアのドアハンドルイルミやテールランプや照明装置８を点灯させ、ステップＳ５７に移る。具体的には、ステップＳ５４で運転席ドア及びバックドアのいずれも完全閉状態を示していた場合には、運転席後方スライドドアのドアハンドルイルミやテールランプや照明装置８の全てを点灯させる。一方、ステップＳ５４で運転席ドアとバックドアとのいずれか一方のみが完全閉状態を示していた場合には、完全閉状態を示していた側の照明装置８やインジケータランプのみを点灯させる。
【０１２０】
これにより、ユーザがジェスチャを検出可能な範囲及びタイミングを容易に認識して、手や足等によるジェスチャをジェスチャ検出範囲内で行うことが可能になる。
【０１２１】
本実施形態では、ステップＳ５５の処理の次にステップＳ５６の処理を行う構成を示したが、必ずしもこれに限らない。例えば、ステップＳ５６の処理の次にステップＳ５５の処理を行う構成としてもよいし、ステップＳ５５の処理とステップＳ５６の処理とを並行して行う構成としてもよい。
【０１２２】
なお、ステップＳ５４において、ジェスチャ検出範囲でジェスチャを検出可能な状態にないと判定した場合には、運転席側ジェスチャ検出範囲とバックドア側ジェスチャ検出範囲とのいずれについても、略同一の範囲を可視光線によって照らすことは行われない。また、運転席後方スライドドアのドアハンドルイルミの点灯もテールランプの点灯も行われない。これにより、ユーザに運転席側ジェスチャ検出範囲とバックドア側ジェスチャ検出範囲とのいずれでもジェスチャを検出可能な状態にないことを容易に認識させることができる。
【０１２３】
ステップＳ５７では、ユーザが手や足で行ったバックドア開扉ジェスチャの検出（図１０（ｂ）参照）がドア開閉ＥＣＵ１で行われた場合（ステップＳ５７でＹＥＳ）には、ステップＳ５８に移る。バックドア開扉ジェスチャの検出は、バックドア側のレーザレーダ２の検出結果をもとに行われる。また、スライドドア開扉ジェスチャの検出がドア開閉ＥＣＵ１で行われていない場合（ステップＳ５７でＮＯ）には、ステップＳ６２に移る。
【０１２４】
ステップＳ５８では、ドア開閉ＥＣＵ１が、モータドライバ１４から開閉モータ６及びラッチ解除モータ７に駆動信号を出力して、バックドアの開扉を開始させ（図１０（ｃ）参照）、ステップＳ５９に移る。
【０１２５】
ステップＳ５９では、バックドアの開度が、バックドアを自動開扉する際の設定開度になったか否かを、開度センサ４の検出信号に基づいてドア開閉ＥＣＵ１が判定する。そして、バックドアの開度が設定開度になったと判定した場合（ステップＳ５９でＹＥＳ）には、ステップＳ６５に移る。一方、バックドアの開度がまだ設定開度に達していないと判定した場合（ステップＳ５９でＮＯ）には、ステップＳ６０に移る。
【０１２６】
ステップＳ６０では、バックドア側のレーザレーダ２での障害物の検出結果に基づき、バックドアに接触する可能性がある障害物が存在するか否かを判定する。そして、バックドアに接触する可能性がある障害物が存在すると判定した場合（ステップＳ６０でＹＥＳ）には、ステップＳ６１に移る。また、バックドアに接触する可能性がある障害物が存在しないと判定した場合（ステップＳ６０でＮＯ）には、ステップＳ５９に戻ってフローを繰り返す。このように、ステップＳ５９からステップＳ６０までの処理を繰り返し実行することにより、バックドアが開扉される間中、バックドアに対する障害物の検出が継続して実行される。
【０１２７】
ステップＳ６１では、障害物を検出した後も、開閉モータ６の駆動を継続し、開閉モータ６によって、障害物を検出した時点のバックドアの開度から、障害物に接触しない程度の角度だけバックドアを開扉（図１０（ｄ）参照）させた時点で、ステップＳ６５に移る。障害物に接触しない程度の角度については、ドア開閉ＥＣＵ１で算出した障害物までの距離をもとに求める構成とすればよい。
【０１２８】
また、ステップＳ６２では、ユーザが手や足で行ったバックドア閉扉ジェスチャの検出（図１１（ａ）参照）がドア開閉ＥＣＵ１で行われた場合（ステップＳ６２でＹＥＳ）には、ステップＳ６３に移る。バックドア閉扉ジェスチャの検出は、運転席ドア側のレーザレーダ２の検出結果をもとに行われる。また、バックドア閉扉ジェスチャの検出がドア開閉ＥＣＵ１で行われていない場合（ステップＳ６２でＮＯ）には、ステップＳ５７に戻ってフローを繰り返す。
【０１２９】
ステップＳ６３では、ドア開閉ＥＣＵ１が、モータドライバ１４から開閉モータ６に駆動信号を出力して、バックドアの閉扉を開始させ（図１１（ｂ）参照）、ステップＳ６４に移る。
【０１３０】
ステップＳ６４では、バックドアの開度が０（つまり、完全閉状態）になったか否かを、開度センサ４の検出信号に基づいてドア開閉ＥＣＵ１が判定する。そして、バックドアの開度が０になったと判定した場合（ステップＳ６４でＹＥＳ）には、ステップＳ６５に移る。一方、バックドアの開度がまだ０に達していないと判定した場合（ステップＳ６４でＮＯ）には、ステップＳ６４のフローを繰り返す。
【０１３１】
ステップＳ６５では、開閉モータ６の駆動を停止することにより、バックドアの開閉を停止させ、フローを終了する。なお、本実施形態では、例えば、ドア開閉ＥＣＵ１でバックドア開閉停止ジェスチャの検出が行われた時点で、バックドアの開閉動作を停止させる構成としてもよい。
【０１３２】
本実施形態の構成によれば、バックドア近傍の発振機及びチューナを介した近距離無線通信に基づくコード照合が成立した場合に、ジェスチャ検出を可能にするので、ユーザがバックドアの付近にいる場合にのみ、ジェスチャによるバックドアの自動での開閉を可能にすることができる。
【０１３３】
また、前述の各実施形態と変形例２とを併用する構成としてもよい。この場合、共通する部材については共通化して用いる一方、共通化できないものについてはそれぞれ設ける構成とすればよい。
【０１３４】
前述のいずれの実施形態によっても、ユーザの所定のジェスチャを検出した検出結果をもとに、車両ドアの自動での開閉動作を開始させるので、ユーザは歩行に比べて小さな動作をするだけでも車両ドアの自動での開閉動作を行わせることが可能になる。また、両手が荷物で塞がっている場合であっても、他の体の一部（例えば足）を動かすことで車両ドアの自動での開閉動作を行わせることが可能になる。他にも、雨降り時に濡れた車両ボディに触れて車両ドアの開閉動作を行わせる必要もない。従って、ユーザにとっての快適性を向上させることが可能になる。
【０１３５】
さらに、スイングドアの開閉軌跡上に存在する障害物を検出するために用いるレーザレーダ２を利用して、ユーザの所定のジェスチャを検出するので、ユーザのジェスチャを検出するためのカメラ等を別途新たに車両に設ける必要がなく、その分のコストの増加を抑えることができる。その結果、コストの増加を抑えながらも、ユーザにとっての快適性を向上させることが可能になる。
【０１３６】
また、前述の実施形態では、ジェスチャ検出範囲を、レーザレーダ２の走査範囲の一部に限定するので、ジェスチャ検出範囲をより狭く限定することで、意図しない場所でジェスチャの検出が行われることを防止し、車両ドアの誤動作を防止することが可能になる。さらに、前述の実施形態では、ジェスチャ検出範囲を、照明装置８から照射する可視光線で照らすことでユーザに提示するので、ジェスチャ検出範囲をより狭く限定した場合であっても、より確実にユーザがそのジェスチャ検出範囲内でジェスチャをすることが可能になる。従って、ジェスチャ検出範囲をより狭く限定した場合であっても、ジェスチャの検出率を向上させることができる。
【０１３７】
他にも、前述の実施形態では、スマートエントリーシステムにおけるコード照合が成立した後にジェスチャを検出可能とするなど、ジェスチャを検出可能な時間的範囲を限定している。よって、ジェスチャを検出可能な時間的範囲をより狭く限定することで、意図しないときにジェスチャの検出が行われることを防止し、車両ドアの誤動作を防止することが可能になる。さらに、前述の実施形態では、ジェスチャを検出可能な時間範囲に限って、ドアハンドルイルミやテールランプ等のインジケータランプや照明装置８を点灯させるので、ジェスチャを検出可能な時間的範囲をより狭く限定した場合であっても、より確実にユーザがその時間的範囲内でジェスチャをすることが可能になる。従って、時間的範囲をより狭く限定した場合であっても、所定のジェスチャの検出率を向上させることができる。
【０１３８】
なお、前述の各実施形態では、ジェスチャ検出範囲を照明装置８から照射する可視光線で照らす構成や、ジェスチャの検出が可能なタイミングをドアハンドルイルミやテールランプ等のインジケータランプを点灯させることで知らせる構成や、スマートエントリーシステムにおけるコード照合が行われた場合にジェスチャ検出範囲でのジェスチャを検出可能とする構成を示したが、これらの構成を備えない態様としてもよい。
【０１３９】
また、前述の各実施形態において、ジェスチャの一例を挙げて説明を行ったが、必ずしもこれに限らず、説明した以外のユーザの体の一部の所定の動きによるジェスチャを用いる構成としてもよい。
【０１４０】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１４１】
１  ドア開閉ＥＣＵ（ジェスチャ検出手段、照射有無判定手段、点灯有無判定手段、開閉動作開始手段、車両ドア自動開閉装置）、２  レーザレーダ（障害物センサ、車両ドア自動開閉装置）、３  車速センサ、４  開度センサ、５  スマートＥＣＵ（車両側ユニット）、６  開閉モータ、７  ラッチ解除モータ、８  照明装置（照明手段、提示灯、車両ドア自動開閉装置）、９  イルミＥＣＵ、２１  発光部、１１  入力Ｉ／Ｆ、１２  ＣＰＵ、１３  不揮発性メモリ、１４  モータドライバ、２２  受光部、２３  時間計測部、１００  車両ドア自動開閉システム
【図１】
2013007171.tif 000003
【図２】
2013007171.tif 000004
【図３】
2013007171.tif 000005
【図４】
2013007171.tif 000006
【図５】
2013007171.tif 000007
【図６】
2013007171.tif 000008
【図７】
2013007171.tif 000009
【図８】
2013007171.tif 000010
【図９】
2013007171.tif 000011
【図１０】
2013007171.tif 000012
【図１１】
2013007171.tif 000013